(57)【特許請求の範囲】
【請求項１】
胴回り開口部と一対の足回り開口部とを有するパンツ型吸収性物品であって、該吸収性物品は胴回り部をなす腹側帯及び背側帯に分離した外装体と前記腹側帯及び背側帯を跨設するように配置される吸収性本体とを具備し、
前記吸収性本体は長手方向と幅方向とを有し、該吸収性本体には、その幅方向の外側縁で着用時に足回りの開口部をなす領域に、前記吸収性本体の内側寄りの内側立体ギャザー及びその外側の外側立体ギャザーが設けられ、
前記内側立体ギャザー及び外側立体ギャザーはいずれも前記吸収性本体の長手方向に沿って延び、かつ前記両立体ギャザーは吸収性物品側を基端とし着用者の肌側に自由端をなすよう起立するものであり、
前記内側立体ギャザーの自由端縁の頂部にのみ着色が施された着色部が配され、
前記着色部の着色は前記外側立体ギャザーと着用者の肌との間から目視可能であり、
前記着色部の色は、前記外側立体ギャザーの部材の色もしくは前記着用者の肌の色に対して、補色の関係にある着色、または対照的な色相、明度、彩度の着色として、国際照明委員会Ｌ＊ａ＊ｂ＊系表示で、Ｌ＊値が５０未満または７０以上、ａ＊値が０未満または１０以上、およびｂ＊値が１０未満または２０以上であり、
前記内側立体ギャザーでは、内側立体ギャザー弾性部材が少なくとも股下部に配され、前記着色部が前記内側立体ギャザー弾性部材よりも前記自由端側の頂部に配された吸収性物品。
【請求項２】
前記外側立体ギャザーに着色部が配されており、前記外側立体ギャザーの着色部の着色より前記内側立体ギャザーの着色部の着色のほうが目立つ配色である請求項１記載のパンツ型吸収性物品。
【請求項３】
前記外側立体ギャザーの自由端縁に着色が施されており、その着色と前記内側立体ギャザーの自由端縁の着色とが、補色の関係にある請求項１または２記載のパンツ型吸収性物品。
【請求項４】
前記内側立体ギャザーの自由端縁の着色及び前記外側立体ギャザーの着色のいずれか一方又は両方が、それらを構成するシート部材、弾性体、または接着剤に塗布されてなる請求項１〜３のいずれか１項に記載のパンツ型吸収性物品。
【請求項５】
前記内側立体ギャザーの起立可能部長さ（Ｓｎ）が、前記外側立体ギャザーの起立可能部長さ（Ｓｇ）より大きい（Ｓｎ＞Ｓｇ）という関係にある請求項１〜４のいずれか１項に記載のパンツ型吸収性物品。
【請求項６】
前記内側立体ギャザーと前記外側立体ギャザーとが平行に配されている請求項１〜５のいずれか１項に記載のパンツ型吸収性物品。
【発明の詳細な説明】
【技術分野】
【０００１】
本発明はパンツ型吸収性物品に関する。
【背景技術】
【０００２】
従来、通常のパンツと同様にして着用することができるパンツ型の使い捨ておむつがある。この使い捨ておむつは、はいはいや歩行などの動きが活発になった子供用、おむつ離れを促進するためのトレーニング用、失禁のある成人用等いろいろな用途のものがあり、その利便性等について様々な工夫がなされている。例えば、歩行による足の動きに対し足回りからの尿漏れを防止する観点から、内側と外側との２つの立体ギャザーを有するものが提案されている（特許文献１）。このおむつにおいては、外側立体ギャザーが起立して吸収性本体の長手方向側縁を覆うことで、内側のギャザーだけのものに比し、横漏れを効果的に抑えることができるとされる。
これとは別にパンツ型のおむつカバーにおいて、足回りの立体ギャザーに着色を施したものが提案されている（特許文献２参照）。このパンツ型おむつカバーは、一対の立体ギャザーの間に吸収性本体を装着して使用する。その足回りの立体ギャザーは１条のものである。そして、その立体ギャザーの自由端には着色が施されており、その着色をウエスト開口部から視認可能な状態にされている。これにより立体ギャザーの間に吸収性本体を装着する際に、その適切な位置が判断しやすくなるとされる。
【先行技術文献】
【特許文献】
【０００３】
【特許文献１】特表２００６−５２５８５７号公報
【特許文献２】特開２００８−２９７１４号公報
【発明の概要】
【発明が解決しようとする課題】
【０００４】
ところで、本発明者らの検討よれば、股下部に２つの立体ギャザーを有するおむつでは、ときおり着用時に足回りのギャザーに乱れが生じ、横漏れの原因になりうることが分かってきた。特に、外装体が腹側と背側とに分離し股下部が縦長の吸収性本体からなるおむつ等の吸収性物品に特有の問題として顕在化する。このような吸収性物品においては、前記吸収性本体の長手方向に沿って内側及び外側の立体ギャザーがともに比較的直線的にかつ平行に配されることがある。そこで、内側立体ギャザーの起立高さが外側立体ギャザーより高くされていると、装着時に内側立体ギャザーが足回り開口部の外方に傾き外側立体ギャザーと重なったりそれを覆うようにして開口部から出てきてしまったりしやすくなる傾向がある。
【０００５】
そこで本発明は、外装体が腹側と背側とに分離した吸収性物品に特有の立体ギャザーの装着時の位置ズレを容易に確認して位置修正することができ、この位置のずれによる排泄物の横漏れ等を好適に抑制することができるパンツ型吸収性物品の提供を目的とする。
【課題を解決するための手段】
【０００６】
本発明は、胴回り開口部と一対の足回り開口部とを有するパンツ型吸収性物品であって、該吸収性物品は胴回り部をなす腹側帯及び背側帯に分離した外装体と前記腹側帯及び背側帯を跨設するように配置される吸収性本体とを具備し、前記吸収性本体は長手方向と幅方向とを有し、該吸収性本体には、その幅方向の外側縁で着用時に足回りの開口部をなす領域に、前記吸収性本体の内側寄りの内側立体ギャザー及びその外側の外側立体ギャザーが設けられ、前記内側立体ギャザー及び外側立体ギャザーはいずれも前記吸収性本体の長手方向に沿って延び、かつ前記両立体ギャザーは吸収性物品側を基端とし着用者の肌側に自由端をなすよう起立するものであり、前記内側立体ギャザーの自由端縁には着色が施された吸収性物品により上記の課題を解決するものである。
【発明の効果】
【０００７】
本発明のパンツ型吸収性物品は、外装体が腹側と背側とに分離した吸収性物品に特有の立体ギャザーの装着時の位置ズレを容易に確認して位置修正することができ、この位置のずれによる排泄物の横漏れ等を好適に抑制することができるという優れた作用効果を奏する。
【図面の簡単な説明】
【０００８】
【図１】本発明のパンツ型着用物品における一実施形態としてのパンツ型の使い捨ておむつを概ね着用状態の形状として腹側からみて模式的に示した斜視図である。
【図２】図１に示したパンツ型使い捨ておむつを展開して伸長した状態を示す一部切欠展開平面図である。
【図３】図２に示したＩＩＩ−ＩＩＩ線断面の拡大断面図である。
【図４】本実施形態のおむつを装着する際の２つの立体ギャザーの動きについて、吸収性コアとともにモデル的に示す説明図である。
【図５】本発明の別の実施形態に係るパンツ型おむつの模式的な断面図である（図３の断面に対応する）。
【発明を実施するための形態】
【０００９】
図１は、本発明のパンツ型着用物品における一実施形態（第１実施形態）としてのパンツ型の使い捨ておむつ１０を概ね着用状態の形状として背側の側方からみて模式的に示した斜視図である。
本実施形態のおむつ１０は、胴回り開口部Ｗｏと一対の足回り開口部Ｌｏとを有し、該おむつの胴回り部Ｄをなす環状外装帯１と股下部Ｃをなす吸収性本体２を備えている。環状外装帯１は、およそ半周ずつをなす腹側帯１１及び背側帯１２からなり、該両帯の左右両側部がそれぞれ合掌状態に重ね合わされて接合され、一対のサイドシーム部１３が形成されている。このサイドシーム部１３におけるシートの接合方法は特に限定されるものではなく、ヒートシール、超音波シール等の任意の手段により接合することができる。本実施形態において、サイドシーム部１３はその背丈方向の上方から中央にかけて配された接合領域ｋで前記腹側帯１１と背側帯１２とが接合されており、その背丈方向の下方は接合されていない。これにより、装着時に脚を通す空間が広くなり、かつ、装着状態では臀部のはみ出しを防止するという利点がある。
【００１０】
環状外装帯１はその身丈方向上側において、環状の胴回り開口部Ｗｏをなす。吸収性本体２は長手方向とこれに直交する幅方向とを有する長方形状であり（図２参照）、該長手方向の両端部が環状外装帯１の腹側帯１１の内面（肌当接面側の面）及び背側帯１２の内面にそれぞれ接合され、着用者の股下に沿わされるよう垂設される。これにより、左右一対の足回り開口部Ｌｏが形成され、全体として褌構造のパンツ型の形状をなす。このおむつ１０の装着に際して、着用者の右足及び左足を胴回り開口部Ｗｏから右側及び左側の足回り開口部Ｌｏに通して、着用者の立位あるいは四つん這いや仰向けの状態でおむつを引き上げて装着する。本実施形態において、腹側帯１１及び背側帯１２と吸収性本体２との固定方法は、特に限定されるものではなく、吸収性本体２と腹側帯１１または背側帯１２と重なっている部分の所定の領域で、接着剤等により固定したり、吸収性本体２の周縁部のみにおいて両者を接合したり、吸収性本体２の幅方向の中央部のみ又は両端部のみで両者を接合することもできる。また、接着剤に代えて、ヒートシール、超音波シール等を用いることもできる。
【００１１】
図１では、環状外装体１の腹側帯１１及び背側帯１２を要部の視認性を考慮し１枚のシート材としまた内部の弾性部材を省略して示すが、本実施形態において腹側帯１１及び背側帯１２は、着用者肌面側の液不透過性の１層以上の内層シートと着用者非肌面側の外層シートとからなる。この内層シート１１ａ，１２ａと外層シート１１ｂ，１２ｂとの間に、胴回り方向に沿ってそれぞれ腰回り弾性部材１４および胴回り弾性部材１５が伸長状態で固定されている（図２参照）。これらの弾性部材が着用状態で適度に胴回り方向に伸縮して腰回りギャザー及び胴回りギャザーを形成しながら、着用者の胴回りにフィットして、おむつ１０を着用者に密着させる。また、図示したものとは異なり、腹側帯１１及び背側帯１２において、外層シート１１ｂ，１２ｂがおむつ１０の身丈方向上方に延出して、あるいは外層シートと内層シートとがともにおむつ１０の身丈方向上方に延出して、胴回り開口部Ｗｏの端縁から肌面側へ折り返され吸収性本体２の長手方向端縁を被覆した状態にしてもよい。すなわち外装体に見返し部分を設け、これにより、吸収性本体の前後端を押さえるような構成である。これにより該吸収性本体４の端縁が直接肌に当らないようにされ、装着時の柔らかな肌触りが生まれる。
【００１２】
本発明においては、特に断らない限り、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側又は表面側といい、非肌面に近い方ないしその延長方向を非肌面側、非肌当接面側又は裏面側という。装着時に人体の前側に位置する方向を前方といいその端部を前端部とし、後側に位置する方向を後方といいその端部を後端部として説明する。吸収性物品の表面又は裏面の法線方向を厚み方向といいその量を厚さという。更に、吸収性物品の平面視（展開平面図）において腹側部から股下部を亘り背側部に至る方向を縦方向あるいはＹ方向といい、この縦方向と直交する方向を幅方向あるいはＸ方向という。なお、前記縦方向は典型的には装着状態において人体の前後方向と一致する。
【００１３】
図２は、図１に示したパンツ型使い捨ておむつを展開して伸長した状態を示す一部切欠展開平面図である。図２では、要部の視認性を考慮し、環状外装体１に挟持された弾性部材１４，１５を一部切欠した部分でのみ示した。本実施形態のおむつ１０は、その展開状態の平面視において、環状外装帯１の腹側帯１１が配される腹側部Ｆと、背側帯１２が配される背側部Ｒと、両部に介在された股下部Ｃとに区画され、腹側部Ｆと背側部Ｒとが前述のとおり接合領域ｋで合掌状態に接合されて胴回り部Ｄを構成する（図１参照）。
本実施形態の吸収性本体２は、その長手方向をおむつの縦方向（Ｙ方向）に向け、股下部Ｃを中心に腹側部Ｆから背側部Ｒに亘って配されている。吸収性本体２は、肌当接面側に配置される液透過性の表面シート２１、非肌当接面側に配置される液不透過性の裏面シート２２（吸収性本体内層シート２５、吸収性本体外層シート２６）、及び両シート２１，２２間に介在される液保持性の吸収性コア２３（コア材２３ａ、コアラップシート２３ｂ）を具備してなる。本実施形態の吸収性本体２において、内側立体ギャザー３をなす一対のサイドシート２４，２４が表面シート１の肌面側に積層されている。該サイドシート２４はさらに外方にのびて折り返され、表面シート２１ないし吸収性コア２３と裏面シート２２との間に挟持されながら接合固定されている。前記吸収性コア２３は全体として吸収性本体２と略相似形の長方形状であり、内部のコア材は３条のものとして分割され、吸収性本体の長手方向に延びて配設されている。該吸収性コア２３の左右の幅方向（Ｘ方向）外方で表面シート２１、裏面シート２２、及びサイドシート２４が、股下部Ｃにおいて、基端ｔ１から基端ｔ２の範囲で接合されている。換言すると、股下部Ｃにおいて、サイドシート２４は基端ｔ１より本体内方及び基端ｔ２より本体外方において独立して変形可能とされ、内部の弾性分材の収縮力により人体側に起立したギャザーを形成する。前記基端ｔ１及び基端ｔ２は起立するギャザーの起立位置をなす。サイドシート２４の長手方向の長さは裏面シート２２のＹ方向長さにほぼ一致している（図２参照）。おむつ１０の装着時において、吸収性コア２３のおむつ幅方向（Ｘ方向）の中心である正中切断線を、着用者の尿排泄対応領域Ｑ１，Ｑ２（男性の場合は領域Ｑ１、女性の場合は領域Ｑ２）から排便対応領域Ｑ３を通る線にほぼ一致させて沿わせる。このようにして、着用時には吸収性コア２３が着用者のおよそ下腹部から股間を経て臀部にかかる部分にあてられる。
【００１４】
図３は、図２に示したＩＩＩ−ＩＩＩ線断面の拡大断面図である。本実施形態（第１実施形態）においては、上述のように、股下部Ｃにおいて、サイドシート２４が前記基端ｔ１（基端点ｔ＊）よりも内方で起立して内側立体ギャザー３をなす。一方、その基端ｔ２よりも外方で起立して外側立体ギャザー４をなす。なお、本実施形態においては基端ｔ１とｔ２との位置が異なる例として示したが、基端ｔ１（基端点ｔ＊）で一致している形態でもよい（後記第２実施形態参照）。逆に、背丈方向のそれ以外の位置、つまり腹側部Ｆ及び背側部Ｒにおいては、サイドシート２４は表面シート２１及び外装体１（腹側帯１１及び背側帯１２）に接合され、起立しない形態とされている。このように、吸収性本体の前後端部においては立体ギャザーが形成されない形態とすることにより、かえって股下部においては起立高さのあるバリア性の高い立体ギャザー３及び４が形成され好ましい。
内側立体ギャザー３では、おむつ１０の着用状態で内部の弾性部材３１がＹ方向に伸縮して着用者の肌面に向けて突出するように起立して肌にしっかりと当接する。この起立に伴って表面シート２１とサイドシート２４との間にポケットＰが形成される。このように形成された内側立体ギャザー３が着用者の鼠径部に沿って当接することで、排泄物の外部への移行が遮断され横漏れが効果的に防止される。なお、内側立体ギャザー用弾性部材３１は、少なくとも股下部Ｃに配されており、更に腹側部Ｆ及び／又は背側部Ｒ側にも延びて配されていることが好ましい。
本実施形態において、内側立体ギャザー３の頂部（自由端）には縦方向に延びる着色部３ａが配されている。詳細は後述するが、この着色部３ａによって、慌しいおむつの交換時に、装着時の足回りにおける内側立体ギャザー３の乱れに容易に気づいて位置修正することができ、横漏れの抑制が効果的になされる。
【００１５】
本実施形態において、外側立体ギャザー４では、おむつ１０の着用状態で内部の弾性部材４１がＹ方向に伸縮して着用者の肌面に向けて突出するように起立して肌にしっかりと当接する。このように形成された内側立体ギャザー４は、吸収性本体２の幅方向側縁周辺あるいはそれより外側で起立して着用者の足の付根付近の大腿部に当接する。そのことで、前記内側立体ギャザー３を外側から覆い、そこから排泄物等の染み出したようなときにも、さらなる堰として働き横漏れが効果的に防止される。また、内側立体ギャザー３よりも外側に外側立体ギャザー４が配されることで、すそに形成されたフリルのようになり、おむつの外観の良化にも資する。なお、外側立体ギャザー用弾性部材４１は、少なくとも股下部Ｃに配されており、更に腹側部Ｆ及び／又は背側部Ｒ側にも延びて配されていることが好ましい。
【００１６】
以下に、本実施形態において要部をなす、内側立体ギャザーと外側立体ギャザーの特徴及び協働関係について説明する。
内側立体ギャザー３は股下部Ｃの長手方向中央において本来Ｘ方向内方へやや傾斜して起立する（起立位置３’）。一方、外側立体ギャザー４は若干外方に傾斜して起立する（起立位置４’）。その装着時においては、図示するとおり、内側立体ギャザー３及び外側立体ギャザー４がともに立ち上がり、それぞれ内側立体ギャザー３の起立高さ（Ｔｎ）と外側立体ギャザー４の起立高さ（Ｔｇ）とを有する。この高さは、内側立体ギャザー３の伸長時の長さ（Ｓｎ：図２参照）および外側立体ギャザー４の伸長時の長さ（Ｓｇ：図２参照）がそれぞれその最大値に相当する。上述のように若干の傾斜が生じること、さらにギャザーに皺がよること等を考慮すると、上記長さＳｎ，Ｓｇに対して、高さＴｎ，Ｔｇはその５０〜８０％程度として設定しておくことが実際的である。内側立体ギャザー３の伸長時の長さＳｎは３０〜５０ｍｍ程度であることが実際的である。外側立体ギャザー３の伸長時の長さＳｇは１５〜３５ｍｍ程度であることが実際的である。両者の比率Ｓｎ／Ｓｇは１．０〜２．５であることが好ましく、１．５〜２．０であることがより好ましい。前記下限以上とすることで脚まわりの股下の隙間を軽減することができ、上限以下とすることで、内側立体ギャザー３が外側立体ギャザー４からはみ出すことを軽減することができる。
一方、内側立体ギャザー３の伸長時の高さＴｎと外側立体ギャザー４の伸長時の高さＳｎとの比率（Ｔｎ／Ｔｓ）も上記長さの比率（Ｓｎ／Ｓｇ）と同様の範囲であることが好ましい。なお、この両起立高さ（Ｔｎ）及び（Ｔｇ）は、各シート部材の厚みを含んだおむつの外側からの厚み方向の高さであり、Ｘ方向に対して略垂直に起立した状態での高さを示す。
【００１７】
本実施形態においては、内側立体ギャザー３が着用者の股下部において大腿部の付根付近よりも深い位置の鼠径部に当接するため、その起立高さ（Ｔｎ）が外側立体ギャザー４の起立高さ（Ｔｇ）よりも高くされている。本実施形態のおむつ１０の装着時には、横漏れ防止の観点から、内側立体ギャザー３が着用者の下腹部において鼠径部にしっかりと当接されることが好ましい。前述のとおり着用者の下腹部から股間にかけての排尿ポイントＱ１及びＱ２には吸収性コア２３が沿わされ液吸収保持されるが、この部分で多量の排尿や複数回の排尿があると吸収性コア２の表面シート１上あるいはその下部で液が幅方向に移行しやすい。そのため、内側立体ギャザー３が起立高さ（Ｔｎ）で下腹部の鼠径部に深く収まり、ポケットＰが下腹部から股間にかけて吸収性コア２との間に形成されると、その部分で横漏れが効果的に防止され得る。そしてさらに、本実施形態によれば、排泄物が極めて多い場合や軟便や下痢便のように漏れでやすいものであるとき、その外側から外側立体ギャザー４が、起立高さ（Ｔｇ）で着用者の足の付根付近の大腿部内側に当接して収まる。これにより、排泄物の染み出し等を効果的に防止することができるので好ましい。
【００１８】
上述のように、本実施形態の構成のおむつにおいて、両立体ギャザー３及び４が好ましい位置に収まることで効果的に尿漏れを防止することができる。しかし、装着時にズレが生じた場合、ギャザー特有の襞が目隠しになり、あるいはおむつ全体が白基調であることが多く、その位置のずれには意外と気づきにくい。特に内側立体ギャザー３が納まる足の付根付近にあっては、外側立体ギャザー４の自由端や襞とまぎれてかえって目視しにくくなる。着用者が動きの活発な高月齢の幼児などの場合は、おむつをやっとの思いで履かせた後の確認はさらに困難を伴い、場合によっては位置ずれを確認せずに、そのまま外装の着衣を着せてしまうことも考えられる。さらに本実施形態においては、略平行に配された内側立体ギャザー３と外側立体ギャザー４とのそれぞれの起立高さが（Ｔｎ）＞（Ｔｇ）であることで内側立体ギャザー３が外側立体ギャザー４と重なって飛び出してしまうこともあり、その場合でも両部材が同じ乳白色であるためにやはり慌しいおむつの交換においては位置ズレに気づきにくく見過ごしてしまうことも考えられる。
【００１９】
これに対し本実施形態のおむつ１０においては、内側立体ギャザー３の頂部に着色部３ａを配したことで、内側立体ギャザー３の位置ズレの確認及び気づきが容易となりその修正が効果的になされる。この点につき、図４を参照して説明する。図４は、本実施形態のおむつ１０を装着する際の２つの立体ギャザーの動きについて、吸収性コア２３ともにモデル化して模式的に示す説明図である。図４においては、内側立体ギャザー３と外側立体ギャザー４の好ましい装着位置とそのズレの状態を理解するため、両立体ギャザー３，４及び吸収性コア２３以外のおむつ１０の部材を省略して示す。また図４においては、向って左側（右足内側）の立体ギャザーでは好ましい装着状態を示し（実施例）、向って右側（左足内側）の立体ギャザーでは大腿部側にはみ出してしまった装着状態を示す（比較例）。また、おむつの１０の引き上げを（ａ），（ｂ），（ｃ）の３段階に分けて示す。本実施形態のおむつ１０の装着時において、その胴回り開口部Ｗｏから左右一対の足回り開口部Ｌｏへ着用者の両足を通し（図４（ａ）参照）、おむつ１０の環状外装体１の部分を掴み、おむつを大腿部へと引き上げ（図４（ｂ）参照）、吸収性コア２３が股間にあたるようにして装着する（図４（ａ）参照）。その過程においては、足回り開口部Ｌｏのギャザー等が着用者の大腿部の内側に強く擦れながら引き上げられる。
【００２０】
まず立体ギャザーの好ましい装着については、図４において向って左側（右足内側）の立体ギャザーの様子を参照すると、（ａ）から（ｂ）までは内側立体ギャザー３、外側立体ギャザー４がともに股間へ向いた状態で足の内側を擦りながら上がっていく。そして大腿部が徐々に太くなるにつれ外側立体ギャザー３が擦れる。（ｃ）に至っては大腿部が最も太くなる最大囲ｍ１からわたり囲ｍ２を経て付根囲ｍ３へと大腿部の内側を通過する過程で外側立体ギャザー３が下側へと向けられる。その際、内側立体ギャザー３は、もともとやや内側向きのため大腿部に引っ掛かり難く、そのまま引き上げられて鼠径部ｎの部分に深く入り込んで収まる。このように内側立体ギャザー３が鼠径部ｎにしっかりとはまり込むことで横漏れが効果的に防止される。
他方、内側立体ギャザー３がはみ出した状態の装着については、図４において向かって右側（左足内側）の立体ギャザーの様子を参照すると、（ａ）においては前記左側のものと変わらないが、（ｂ）の大腿部が徐々に太くなる部分でおむつを乱暴に引き上げることで、あるいは着用者の動きなどで、内側立体ギャザー３が大腿部で引っ掛かり外側立体ギャザー４から少し飛び出している。そのままおむつ１０を引き上げることで、内側立体ギャザー３が外側立体ギャザー４に覆いかぶさるようにしてさらにはみ出してしまっている。この状態では、股間から鼠径部ｎにかけておむつ１０との間に隙間ができ横漏れが生じ易くなってしまい好ましくない。
【００２１】
このような好ましくない装着状況にあっても、本実施形態のおむつ１０においては、内側立体ギャザー３の先端部分に着色部３ａが配されているので、図４に示す（ｂ）又は（ｃ）の段階で着色部３ａを見つけて内側立体ギャザー３のはみ出しを容易に確認することができる。この着色部３ａは、おむつ１０を構成する各部材がほとんど乳白色である中で目視しやすい色とされており、着用者の股下部の足の付根付近でも認識容易とされている。この着色部３ａが配されていない場合、内側立体ギャザー３の先端が弾性部材３１の収縮で皺を有して見難くさらに外側立体ギャザー４の弾性部材４１の収縮で生じた皺が重なるため、内側立体ギャザー３の先端は判別され難い。しかし、内側立体ギャザー３の先端に配された着色部３ａによって、その先端の位置を容易に認識でき内側立体ギャザー３の位置ずれの発生を素早く認識することができる。着用者がどのような状況にあっても着色部３ａがおむつの他の部材よりも認識されやすいので、内側立体ギャザー３の位置ズレに容易に気付いて位置修正が可能とされ、排泄物の横漏れが効果的に防止され得る。
【００２２】
この観点から、この着色部３ａの着色は、外側立体ギャザー４と着用者の肌との間からでも目視できるよう、目立つ着色を種々採用することができ、例えば、着色部３ａの色は、外側立体ギャザー４の部材の色や着用者の肌の色に対して補色の関係にある着色や対照的な色相・明度・彩度の着色とすることが好ましく、Ｌ＊ａ＊ｂ＊表示で表すと、着色部３ａの色は、Ｌ＊値が５０未満または７０以上、かつ、ａ＊値が０未満または１０以上、かつ、ｂ＊が１０未満または２０以上が好ましい。さらに、着色部３ａの色と外側立体ギャザー４の部材の色とのＬ＊ａ＊ｂ＊色空間全色差（ΔＥ）を２０以上とすることが好ましい。また、着色部３ａの配置については、本実施形態の内側立体ギャザー３の頂部への着色に限定されず、この着色に代え又はこの着色に加え、前記頂部の位置から外側側面部の起立高さ（Ｔｎ）の１０％部分の範囲内に着色されてもよい。また該着色部３ａのＹ方向長さは、自由端とされた内側立体ギャザー３のＹ方向長さ（吸収性本体２の表面シート２１等と接合固定された部分を除く。）に対して２０％とし、股下部の中央部分の位置に配されるのが好ましい。着色部３ａの形状及び模様については、任意に定めることができる。
［Ｌ＊ａ＊ｂ＊色空間全色差（ΔＥ）］
Ｌ＊ａ＊ｂ＊表示は、国際照明委員会（ＣＩＥ）Ｌ＊ａ＊ｂ＊系に従う。全色差は、Ｌ＊ａ＊ｂ＊色空間内の２点間の距離を表わす。第１の色（Ｌ＊１、ａ＊１、ｂ＊１）及び第２の色（Ｌ＊２、ａ＊２、ｂ＊２）についてのＬ＊ａ＊ｂ＊色空間全色差（ΔＥ）は、次式に従って計算される：
【数１】
0005566819.tif 000002
前記式中、ΔＬ＊は、２色の間のＬ＊値の差であり、ΔＬ＊＝Ｌ＊２−Ｌ＊１によって計算される。Δａ＊は、２色の間のａ＊値の差であり、Δａ＊＝ａ＊２−ａ＊１によって計算される。Δｂ＊は、２色の間のｂ＊値の差であり、Δｂ＊＝ｂ＊２−ｂ＊１によって計算される。
【００２３】
本実施形態において、このような着色部３ａとすることで、内側立体ギャザー３が外側立体ギャザー４の外側に飛び出さないまでも、外側立体ギャザー４と重なって大腿部側（図４に示すｍ１〜ｍ３の範囲）にズレたりするような場合、外側立体ギャザー４と着用者の肌との照明が遮られる少しの隙間からでも発見しやすい。おむつの慌しい装着の途中でも素早く気づくことができる。特に着用者が幼児などの場合は足をバタつかせたり歩きまわろうとしたりする状況下で幼児の行動につい気をとられがちであるが、そのような場合でも、おむつの外側からあるいはバタつかせる足元のわずかな隙間からでも着色部３ａに容易に気付くことができる。また、おむつの装着後の活動時になどにも、着用者の足回りと外側立体ギャザー４との隙間から内側立体ギャザー３を少し覗き込むだけで、着色部３ａを直ぐに発見することができる。これにより、内側立体ギャザー３の位置ズレが容易に認識され得る。また、内側立体ギャザー３の頂部ないし外側部に着色部３ａが配されることで、内側立体ギャザー３に汚物等が付着した場合でもその色味を目立たくして不快感を軽減できるので好ましい。
【００２４】
本実施形態における着色部３ａは、サイドシート２４に着色剤を直接塗布したものである。着色剤としては、染料、顔料などを一般的なバインダーと水や有機溶剤などの溶媒に溶かして混合された溶液などの着色剤が挙げられる。本実施形態においては、該着色剤を内側立体ギャザー３の頂部となるサイドシート２４の折り目外側に塗布し、乾燥して形成できる。なお着色部３ａは、本実施形態のものに限らず目視容易にする形成であればよく、例えば着色剤を内側立体ギャザー用弾性部材３１や接着剤などに混合したものであってもよい。また、内側立体ギャザー３の位置ズレの調整を指先で容易にしやすくするために、外側側面部（図３参照）の肌に触れない部分に滑りにくい着色剤を塗布して着色部３ａとすることができる。このようにすることで、部分的に見える着色部３ａを指先で探り当て、その指先の感覚だけで内側立体ギャザー３の位置を修正することができるので好ましい。このような着色剤としては、バインダーとしてゴム系やポリウレタン系の樹脂を配合した着色剤が好ましい。クロロプレン系ゴムが例として挙げられる。
さらに、内側立体ギャザーに滑りやすい着色剤を塗布することで、外側立体ギャザーの肌との摩擦は内側立体ギャザーの肌との摩擦よりも高くなるため、装着時に内側立体ギャザーが外側立体ギャザーからはみだす危険を軽減する。
【００２５】
本実施形態においては外側立体ギャザー４には着色部が配されないものであるが、これに限定されず、外側立体ギャザー４にも着色部４ａ（図示せず）が配設されていてもよい。その場合、内側立体ギャザー３の着色がより目立つような配色とされることが好ましく、例えば黄色と青紫との組合せなど補色の関係にあることが好ましい。Ｌ＊ａ＊ｂ＊表示で内側立体ギャザー３の着色と外側立体ギャザー４の着色とのＬ＊ａ＊ｂ＊色空間全色差（ΔＥ）を２０以上とすることが好ましく、３０以上とすることがさらに好ましいい。なお、外側立体ギャザー４の着色部４ａの形成については前述の内側立体ギャザー３と同様にすることができる。
【００２６】
本実施形態においては、内側立体ギャザー３と外側立体ギャザー４とは、それぞれ個々の独立したシート部材（サイドシート２４と被覆シート２５）で形成されているが、これに限らず、同一のシート部材からなるものであってもよい。例えば、図示しないが、内側立体ギャザー３をなすサイドシート２４が、その基端位置からさらに幅方向（Ｘ方向）方向外方に延びてその端部において外側立体ギャザー４が形成されてもよい。また、前記両立体ギャザーが同一のシート部材からなり、かつ内側立体ギャザー３の着色部３ａと外側立体ギャザー４の着色部４ａとがある場合には、その配色の容易さから、シート部材ではなく各弾性部材や接着剤に混合して形成する方法が好ましい。
【００２７】
図５は、本発明の別の実施形態（第２実施形態）に係るパンツ型おむつの模式的な断面図である。本図の断面位置は図３の断面に対応する。第２実施形態については、第１実施形態に示したものと共通するものについて同じ符号を用いて示している。本第２実施形態においては、サイドシート２４で構成される内側ギャザー３と外側ギャザー４の形態が異なるものとされている。具体的には、サイドシート２４が全体において２つ折りに畳まれている。折り畳まれた部分が外側ギャザーにまで至らずに途中で終了している第１実施形態とは異なる。また、コア材２３ａの幅方向両側には吸収体弾性部材５１が配設されている。
【００２８】
そして、第２実施形態の内側ギャザー３は吸収性コア２３より十分外方に基端ｔ１（基端点ｔ＊）があり、そこから内側ギャザー３が立ち上がるようにされている。その結果、内側ギャザー３の長さＳｎは相対的に長く確保されている。したがって、その起立高さ（Ｔｎ）も高くされ、より肌面への良好な密着性が得られる。他方、外側ギャザー４は内側ギャザー３と同じ基端ｔ１から起立されるように構成されている。この長さや動きは第１実施形態とほぼ同様である。
【００２９】
また、幅方向に対して、第２実施形態の表面シート２１は吸収体コア２３ａの端を巻き下げており、吸収体コア２３ａの端と外側立体ギャザー４は別々に稼動することが可能である。さらに、吸収体コア２３ａの両端部に弾性体５１を配置することで、両サイドの吸収体コアが起立し、より肌面への良好な密着性が得られる。
【００３０】
本発明の使い捨ておむつの各構成材料としては、この種の物品に用いられる各種の材料を任意に採用することができる。
例えば、表面シート２１としては、親水性不織布が好ましく、エアスルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく、その坪量１５〜５０ｇ／ｍ２のものが好適に使用できる。また、表面シート１の股下部分には、表面シート１の非肌面側に親水性穴開きフィルムや親水性不織布が部分的に重ねられていてもよい。裏面シート２２や被覆シート２５としては、防水性があり透湿性を有していれば特に限定されないが、例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。また、環状外装帯１を構成するシート部材（内層シート及び外層シート）としては、例えば、不織布、不織布と樹脂フィルムとの積層材、多孔性フィルム等が好ましい。非伸縮性シートは、通気性、風合いを良好にする観点から、熱可塑性繊維からなる不織布から形成されているものが好ましく、また、排泄物の漏れ防止の観点から、撥水性の不織布から形成されているものが好ましい。
【００３１】
吸収性コア２３としては、例えば、繊維集合体又はこれと吸収性ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。また吸収性コアを被覆する被覆シートとしては、親水性のティッシュペーパー等の薄手の紙（薄葉紙）、コットンやレーヨンなどの親水性繊維からなる不織布、合成樹脂の繊維に親水化処理を施してなる不織布（ＳＭＳ、ＳＭＭＳ、ＳＳＭＳ等の複合不織布）からなるものを用いることができる。
サイドシート２４としては、撥水性不織布が好ましく、具体的には、スパンボンド不織布、スパンボンド−メルトブローン（ＳＭ）不織布、スパンボンド−メルトブローン−スパンボンド（ＳＭＳ）不織布等が用いられる。上記の各弾性部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００３２】
本発明のパンツ型吸収性物品は、上述のようなパンツ型のおむつのほか、生理用ショーツ、ショーツ型ナプキンなどの、パンツ型の構造を有する吸収性物品一般を含む概念である。このパンツ型吸収性物品は、乳幼児用のものであっても、成人用のものであってもよい。
【符号の説明】
【００３３】
１  環状外装帯
２  吸収性本体
２１  表面シート
２２  裏面シート
２３  吸収性コア
２３ａ  コア材
２３ｂ  コアラップシート
２４  サイドシート
２５  吸収性本体内層シート
２６  吸収性本体外層シート
３  内側立体ギャザー
３ａ  着色部
４  外側立体ギャザー
５１  吸収体弾性部材
１０  使い捨ておむつ
【図１】
0005566819.tif 000003
【図２】
0005566819.tif 000004
【図３】
0005566819.tif 000005
【図４】
0005566819.tif 000006
【図５】
0005566819.tif 000007